(57)【要約】【課題】モータが長時間持続的に回転することがなくなり、電力を節約することができ、電動睫毛ブラシの故障率を減少することができる電力自動遮断機能付き電動睫毛ブラシを提供する。【解決手段】一端にブラシロッドが設けられ、ブラシロッドに睫毛ブラシ用毛が設けられ、収容空間を有し、収容空間には、弾性具と、モータと、電源ユニットと、が収容され、弾性具は、緩め状態と緊迫状態のうちの一つに切替可能であり、導電体であり、弾性具とモータと電源ユニットを直列接続すると電流回路が形成され、弾性具が緩め状態にあるときには、電流回路がオン状態になり、弾性具が緊迫状態にあるときには、電流回路がオフ状態になり、弾性具が緊迫状態にあるときに弾力が発生し、弾力により弾性具を緩め状態に回復可能である本体と、弾性具を緊迫状態に切り替えるための切替手段と、を備える。【選択図】図１
0003159157.tif 000002
【実用新案登録請求の範囲】
【請求項１】
一端にブラシロッドが設けられ、前記ブラシロッドに睫毛ブラシ用毛が設けられ、収容空間を有し、前記収容空間には、弾性具と、モータと、電源ユニットと、が収容され、前記弾性具は、緩め状態と緊迫状態のうちの一つに切替可能であり、導電体であり、前記弾性具と前記モータと前記電源ユニットを直列接続すると電流回路が形成され、前記弾性具が緩め状態にあるときには、前記電流回路がオン状態になり、前記弾性具が緊迫状態にあるときには、前記電流回路がオフ状態になり、前記弾性具が緊迫状態にあるときに弾力が発生し、前記弾力により前記弾性具を緩め状態に回復可能である本体と、
前記弾性具を前記緊迫状態に切り替えるための切替手段と、を備えることを特徴とする、電力自動遮断機能付き電動睫毛ブラシ。
【請求項２】
前記切替手段は、前記本体に摺動可能に設けられる切替具を含み、前記切替具は、第１位置と第２位置のうちの一つに切替可能であり、その一端が前記弾性具の一端と連動し、前記切替具が前記第１位置から第２位置に移動するときに、前記弾性具の一端が連動されて移動し、これにより、前記弾性具が緩め状態から緊迫状態に切り替えられることを特徴とする、請求項１に記載の電力自動遮断機能付き電動睫毛ブラシ。
【請求項３】
前記弾性具は、Ｖ字形を呈する金属片であり、その一端が前記本体に係止され、他端が前記切替具に当接し、前記本体には、更に、導電端子が設けられ、前記導電端子が前記弾性具、前記モータ及び前記電源ユニットと直列接続し、前記弾性具が緊迫状態にあるときには、前記弾性具が前記導電端子から離間し、前記弾性具が緩め状態にあるときには、前記弾性具が前記導電端子と接触することを特徴とする、請求項２に記載の電力自動遮断機能付き電動睫毛ブラシ。
【請求項４】
前記切替手段はさらにスライド溝を含み、前記切替具は前記スライド溝に摺動可能に設けられ、前記切替具に環状突起が設けられ、前記切替具が第１位置に位置するときには、前記環状突起が前記本体の前記スライド溝の一端に当接することを特徴とする、請求項２に記載の電力自動遮断機能付き電動睫毛ブラシ。
【請求項５】
前記弾性具は二つの金属弾性片を含み、前記弾性具が緩め状態にあるときには、前記二つの金属弾性片が互いに接触し、前記切替手段は、切替具と、バネと、を含み、前記切替具は、前記本体に摺動可能に設けられ、第１位置と第２位置の間に移動可能であり、なお、前記切替具を前記第１位置から前記第２位置に移動すると、前記切替具が前記二つの金属弾性片の間に介在し、前記二つの金属弾性片が互いに分離し、前記弾性具が緊迫状態になり、このとき、前記バネが前記切替具と前記内ケースの間に押付け、前記バネの弾力により前記切替具が何時も前記第１位置に戻り可能であることを特徴とする、請求項１に記載の電力自動遮断機能付き電動睫毛ブラシ。
【請求項６】
前記本体の一端には、前記収容空間と連通する軸穴が設けられ、前記ブラシロッドが前記軸穴に貫入され、前記モータが前記ブラシロッドと連接し、前記ブラシロッドが前記モータに駆動されて回転可能であることを特徴とする、請求項１乃至５のうちの何れか一つに記載の電力自動遮断機能付き電動睫毛ブラシ。
【請求項７】
更に、ビンを含み、前記ビンは、液体貯蔵チェンバーと、前記液体貯蔵チェンバーと連通する開口と、を有し、前記ビンに前記本体を被せることができ、前記ビンに前記本体を被せるときには、前記ブラシロッドが前記開口から前記液体貯蔵チェンバーに挿入され、前記切替手段により前記弾性具が緊迫状態に切り替えられることを特徴とする、請求項１乃至５のうちの何れか一つに記載の電力自動遮断機能付き電動睫毛ブラシ。
【考案の詳細な説明】
【技術分野】
【０００１】
本考案は、電動睫毛ブラシに係り、特に、電力自動遮断機能付き電動睫毛ブラシに関するものである。
【背景技術】
【０００２】
従来の睫毛ブラシには、睫毛ブラシにモータが設けられるものがあり、このような電動睫毛ブラシを利用した後、モータの電源を切り忘れがよくあり、モータの電源を切り忘れる場合には、モータが長時間に持続に回転し、これにより、電力が無駄に消費され、電動睫毛ブラシの故障率が増加する問題があった。
【考案の概要】
【考案が解決しようとする課題】
【０００３】
本考案の主な目的は、電動睫毛ブラシを使用しない時、又は使用する際に、モータに供給する電力を自動的に遮断可能な電力自動遮断機能付き電動睫毛ブラシを提供することにある。
【課題を解決するための手段】
【０００４】
本考案の電力自動遮断機能付き電動睫毛ブラシによると、一端にブラシロッドが設けられ、前記ブラシロッドに睫毛ブラシ用毛が設けられ、収容空間を有し、前記収容空間には、弾性具と、モータと、電源ユニットと、が収容され、前記弾性具は、緩め状態と緊迫状態のうちの一つに切替可能であり、導電体であり、前記弾性具と前記モータと前記電源ユニットを直列接続すると電流回路が形成され、前記弾性具が緩め状態にあるときには、前記電流回路がオン状態になり、前記弾性具が緊迫状態にあるときには、前記電流回路がオフ状態になり、前記弾性具が緊迫状態にあるときに弾力が発生し、前記弾力により前記弾性具を緩め状態に回復可能である本体と、前記弾性具を前記緊迫状態に切り替えるための切替手段と、を備えることを特徴とする。
【０００５】
本考案の電力自動遮断機能付き電動睫毛ブラシによると、前記切替手段は、前記本体に摺動可能に設けられる切替具を含み、前記切替具は、第１位置と第２位置のうちの一つに切替可能であり、その一端が前記弾性具の一端と連動し、前記切替具が前記第１位置から第２位置に移動するときに、前記弾性具の一端が連動されて移動し、これにより、前記弾性具が緩め状態から緊迫状態に切り替えられることを特徴とする。
【０００６】
本考案の電力自動遮断機能付き電動睫毛ブラシによると、前記弾性具は、Ｖ字形を呈する金属片であり、その一端が前記本体に係止され、他端が前記切替具に当接し、前記本体には、更に、導電端子が設けられ、前記導電端子が前記弾性具、前記モータ及び前記電源ユニットと直列接続し、前記弾性具が緊迫状態にあるときには、前記弾性具が前記導電端子から離間し、前記弾性具が緩め状態にあるときには、前記弾性具が前記導電端子と接触することを特徴とする。
【０００７】
本考案の電力自動遮断機能付き電動睫毛ブラシによると、前記切替具はスライド溝に摺動可能に設けられ、前記切替具に環状突起が設けられ、前記切替具が第１位置に位置するときには、前記環状突起が前記本体の前記スライド溝の一端に当接することを特徴とする。
【０００８】
本考案の電力自動遮断機能付き電動睫毛ブラシによると、前記弾性具は二つの金属弾性片を含み、前記弾性具が緩め状態にあるときには、前記二つの金属弾性片が互いに接触し、前記切替手段は、切替具と、バネと、を含み、前記切替具は、前記本体に摺動可能に設けられ、第１位置と第２位置の間に移動可能であり、なお、前記切替具を前記第１位置から前記第２位置に移動すると、前記切替具が前記二つの金属弾性片の間に介在し、前記二つの金属弾性片が互いに分離し、前記弾性具が緊迫状態になり、このとき、前記バネが前記切替具と前記内ケースの間に押付け、前記バネの弾力により前記切替具が何時も前記第１位置に戻り可能であることを特徴とする。
【０００９】
本考案の電力自動遮断機能付き電動睫毛ブラシによると、前記本体の一端には、前記収容空間と連通する軸穴が設けられ、前記ブラシロッドが前記軸穴に貫入され、前記モータが前記ブラシロッドと連接し、前記ブラシロッドが前記モータに駆動されて回転可能であることを特徴とする。
【００１０】
本考案の電力自動遮断機能付き電動睫毛ブラシによると、更に、ビンを含み、前記ビンは、液体貯蔵チェンバーと、前記液体貯蔵チェンバーと連通する開口と、を有し、前記ビンに前記本体を被せることができ、前記ビンに前記本体を被せるときには、前記ブラシロッドが前記開口から前記液体貯蔵チェンバーに挿入し、前記切替手段により前記弾性具が緊迫状態に切り替えられることを特徴とする。
【考案の効果】
【００１１】
本考案の電力自動遮断機能付き電動睫毛ブラシによれば、電動睫毛ブラシを使用しない時、又は使用する際に、モータに供給する電力を自動的に遮断することができ、これにより、モータが長時間持続的に回転することがなくなり、電力を節約することができ、電動睫毛ブラシの故障率を減少することができるという効果を有する。
【図面の簡単な説明】
【００１２】
【図１】本考案の第１実施例の電力自動遮断機能付き電動睫毛ブラシの組合済み状態の斜視図である。
【図２】本考案の第１実施例の電力自動遮断機能付き電動睫毛ブラシの分解斜視図である。
【図２Ａ】本考案の電力自動遮断機能付き電動睫毛ブラシの一部の斜視図である。
【図３】本考案の第１実施例の電力自動遮断機能付き電動睫毛ブラシの断面図である。
【図４】本考案に係る本体とビンを分離した状態の断面図である。
【図５】本考案の第２実施例の電力自動遮断機能付き電動睫毛ブラシの本体の断面図である。
【図６】本考案の第３実施例の電力自動遮断機能付き電動睫毛ブラシの本体の断面図である。
【図７】本考案の弾性具が二つの金属弾性片である場合の模式図である。
【図８】図７に示す実施例の作動を示す模式図である。
【考案を実施するための形態】
【００１３】
以下、本考案の実施の形態を図面に基づいて説明する。
まず、図１を参照する。本考案の電力自動遮断機能付き電動睫毛ブラシは、本体１と、ビン２と、を含む。
【００１４】
図２を参照する。ビン２は、液体貯蔵チェンバー２２と、前記液体貯蔵チェンバー２２と連通する開口２１とを有し、ビン２はマスカラなどの化粧用品を収容することができる。
【００１５】
図１に示すように、本体１をビン２に被せるときに、開口２１が封止される。本体１は、第１ケース１１と、第２ケース１２と、内ケース１３と、蓋１４と、を含む。第１ケース１１の一端に第２ケース１２が回動可能に設けられ、第１ケース１１の他端に開口が設けられ、前記開口と第１ケース１１と第２ケース１２から収容空間が構成され、内ケース１３と蓋１４が前記収容空間に収容され、内ケース１３が蓋１４と第２ケース１２の間に位置し、蓋１４に軸穴１４１が設けられる。軸穴１４１にブラシロッド１５が貫入され、ブラシロッド１５が本体１に対して回動可能であり、ブラシロッド１５の第１端１５１が収容空間に収容され、ブラシロッド１５の第１端１５１に非円形穴１５２が設けられ、ブラシロッド１５の第２端１５３が本体１から離れる方向に伸び、ブラシロッド１５の第２端１５３に睫毛ブラシ用毛１５４が設けられる。蓋１４に切替手段が設けられ、前記切替手段は、スライド溝１４２と、切替具１４３と、を含み、スライド溝１４２の伸び方向はブラシロッドの縦方向と同じで、切替具１４３がスライド溝１４２に摺動可能に設けられ、切替具１４３は、一端が前記収容空間に収容され、他端が本体１の外部に突出し、切替具１４３の本体１の外部に突出する一端が押付けられると、切替具１４３が第１位置から第２位置に切り替えられる。図２Ａに示すように、別の実施例では、切替具１４３に環状突起１４４が設けられ、環状突起１４４が蓋１４のスライド溝１４２の一端に当接し、これにより、切替具１４３が本体１から離脱することを防止でき、切替具１４３にバネ１４５が嵌め設けられ、バネ１４５が環状突起１４４と蓋１４の間に設けられ、バネ１４５により、環状突起１４４と蓋１４の間に緩衝効果が発生する。蓋１４の前記収容空間から遠ざかった一側に洩止具１６が設けられ、ビン２に本体１を被せるときに、洩止具１６により開口２１と軸穴１４１の間が塞がれ、そうすると、ビン２内に収容される化粧用品の、開口２１外または軸穴１４１内への漏れを防止することができる。
【００１６】
内ケース１３には、更に、電源ユニット１３１と、スイッチ１３２と、弾性具１３３と、導電端子１３４と、モータ１３５と、が設けられ、電源ユニット１３１とスイッチ１３２と弾性具１３３と導電端子１３４とモータ１３５は、前記収容空間に収容され、互いに直列接続して電流回路が形成される。前記電流回路がオン状態にあるときには、電源ユニット１３１からの電力により、モータ１３５が回転し、モータ１３５には、非円形穴１５２と係合する非円形軸１３６が設けられ、これにより、モータ１３５がブラシロッド１５と連動し、すなわち、ブラシロッド１５がモータ１３５に駆動されて回転することができる。しかし、ブラシロッド１５とモータ１３５の連結は、粘着またはギア噛合などの方法を採用してもよい。また、モータは振動モータを採用し、ブラシロッドを本体に固定してもよい。そうすると、モータが回転しているときは、本体とブラシロッドが振動し、睫毛ブラシは振動睫毛ブラシとして使用することができる。
【００１７】
スイッチ１３２には、第２ケース１２に当接する切替ピン１３７が設けられ、第２ケース１２が旋回されるときに、切替ピン１３７が左方または右方に切り替えられる。スイッチ１３２をオフ位置に切り替えるときに、前記電流回路がオフ状態になり、なお、スイッチ１３２を右位置または左位置に切り替えるときに、前記電流回路がオン状態になり、スイッチ１３２を右位置に切り替えるときのモータの回転方向は、スイッチ１３２を左位置に切り替えるときのモータの回転方向と逆する。別の実施例では、第２ケース１２に貫通孔が設けられ、切替ピン１３７が前記貫通孔を挿通して外部に突出し、そうすると、ユーザは切替ピン１３７を直接に切替可能である。
【００１８】
弾性具１３３は、金属片でもいいし、導電性および弾性を有する弾性体でもよい。内ケースに二つのピン１３８が設けられ、弾性具１３３は、一端が一つのピン１３８に係止され、他端が他のピン１３８を回るように湾折されて切替具１４３に当接し、又は切替具１４３と連接し、そうすると、切替具１４３の一端が弾性具１３３の一端と連動するようになる。弾性具１３３は、Ｖ字形を呈し、切替具１４３に押付けられると、緊迫状態と緩め状態のうちの一つに切替えることができ、弾性具１３３が緊迫状態にあるときに弾力が発生し、前記弾力により弾性具１３３を緩め状態に回復可能である。
【００１９】
導電端子１３４は弾性具１３３に隣接する。弾性具１３３が緊迫状態にあるときには、弾性具１３３が導電端子１３４から離間し、前記電流回路がオフ状態になる。弾性具１３３が緩め状態にあるときには、弾性具１３３が導電端子１３４と接触し、前記電流回路がオン状態になる。
【００２０】
スイッチ１３２と切替具１４３と弾性具１３３のうちの何れかの一つにより、前記電流回路の電流を遮断することができる。図３に示すように、本考案の電力自動遮断機能付き電動睫毛ブラシを使用しない場合には、ビン２に本体１を被せるときに、ブラシロッド１５が開口２１から液体貯蔵チェンバー２２に挿入され、ブラシロッド１５の第２端１５３または睫毛ブラシ用毛１５４で液体貯蔵チェンバー２２内にある化粧用品を付けることができ、このとき、ビン２に当接する切替具１４３が前記収容空間内に押付けられて第２位置に移動し、切替具１４３が弾性具１３３に当接するため、弾性具１３３が切替具１４３に連動されて移動し、そうすると、弾性具１３３が緊迫状態にあり、弾性具１３３が導電端子１３４から離間し、前記電流回路がオフ状態になる。図４に示すように、本考案の電力自動遮断機能付き電動睫毛ブラシを使用したいときには、スイッチ１３２をオンにしてビン２から本体１を分離し、このとき、弾力により弾性具１３３が緩め状態に回復して、弾性具１３３が導電端子１３４と接触し、前記電流回路がオン状態になり、且つ弾性具１３３が切替具１４３を押付けることにより切替具１４３が第１位置に移動し、切替具１４３に環状突起１４４が設けられ、環状突起１４４により切替具１４３の本体１からの離脱を防止することができる。図５に示すように、弾性具１３３に切替具１４３を直接に固定してもよく、そうすると、環状突起を設ける必要がなくなる。また、図６に示すように、弾性具１３３と切替具１４３を一体成形してもよく、そうすると、切替具１４３の本体１からの離脱を防止することができる。
【００２１】
また、本考案は、図７に示すように、弾性具が二つの金属弾性片１３３ａであり、二つの金属弾性片１３３ａを前記電流回路と直列接続してもよい。弾性具が緩め状態にあるときには、切替具１４３が第１位置に位置し、二つの金属弾性片１３３ａが互いに接触し、前記電流回路がオン状態になる。なお、図８に示すように、切替具１４３がビン２に押付けられるときには、切替具１４３が第１位置から第２位置に移動し、そうすると、切替具１４３が二つの金属弾性片１３３ａの間に介在し、二つの金属弾性片１３３ａが互いに分離するようになり、弾性具が緊迫状態になり、前記電流回路がオフ状態になり、このとき、バネ１４５が切替具１４３と内ケース１３の間に押付け、バネ１４５の弾力により切替具１４３が何時も第１位置に戻り可能である。
【００２２】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２３】
本考案は、睫毛ブラシに適用することができる。
【符号の説明】
【００２４】
１        本体
２        ビン
１１      第１ケース
１２      第２ケース
１３      内ケース
１４      蓋
１５      ブラシロッド
１６      洩止具
２１      開口
２２      液体貯蔵チェンバー
１３１    電源ユニット
１３２    スイッチ
１３３    弾性具
１３４    導電端子
１３５    モータ
１３６    非円形軸
１３７    切替ピン
１３８    ピン
１３８´  ピン
１４１    軸穴
１４２    スライド溝
１４３    切替具
１４４    環状突起
１４５    バネ
１５１    第１端
１５２    非円形穴
１５３    第２端
１５４    睫毛ブラシ用毛
【図１】
0003159157.tif 000003
【図２】
0003159157.tif 000004
【図２Ａ】
0003159157.tif 000005
【図３】
0003159157.tif 000006
【図４】
0003159157.tif 000007
【図５】
0003159157.tif 000008
【図６】
0003159157.tif 000009
【図７】
0003159157.tif 000010
【図８】
0003159157.tif 000011
【手続補正書】
【提出日】平成22年2月25日(2010.2.25)
【手続補正１】
【補正対象書類名】実用新案登録請求の範囲
【補正対象項目名】全文
【補正方法】変更
【補正の内容】
【実用新案登録請求の範囲】
【請求項１】
一端にブラシロッドが設けられ、前記ブラシロッドに睫毛ブラシ用毛が設けられ、収容空間を有し、前記収容空間には、弾性具と、モータと、電源ユニットと、が収容され、前記弾性具は、緩め状態と緊迫状態のうちの一つに切替可能であり、導電体であり、前記弾性具と前記モータと前記電源ユニットを直列接続すると電流回路が形成され、前記弾性具が緩め状態にあるときには、前記電流回路がオン状態になり、前記弾性具が緊迫状態にあるときには、前記電流回路がオフ状態になり、前記弾性具が緊迫状態にあるときに弾力が発生し、前記弾力により前記弾性具を緩め状態に回復可能である本体と、
前記弾性具を前記緊迫状態に切り替えるための切替手段と、を備えることを特徴とする、電力自動遮断機能付き電動睫毛ブラシ。
【請求項２】
前記切替手段は、前記本体に摺動可能に設けられる切替具を含み、前記切替具は、第１位置と第２位置のうちの一つに切替可能であり、その一端が前記弾性具の一端と連動し、前記切替具が前記第１位置から第２位置に移動するときに、前記弾性具の一端が連動されて移動し、これにより、前記弾性具が緩め状態から緊迫状態に切り替えられることを特徴とする、請求項１に記載の電力自動遮断機能付き電動睫毛ブラシ。
【請求項３】
前記弾性具は、Ｖ字形を呈する金属片であり、その一端が前記本体に係止され、他端が前記切替具に当接し、前記本体には、更に、導電端子が設けられ、前記導電端子が前記弾性具、前記モータ及び前記電源ユニットと直列接続し、前記弾性具が緊迫状態にあるときには、前記弾性具が前記導電端子から離間し、前記弾性具が緩め状態にあるときには、前記弾性具が前記導電端子と接触することを特徴とする、請求項２に記載の電力自動遮断機能付き電動睫毛ブラシ。
【請求項４】
前記切替手段はさらにスライド溝を含み、前記切替具は前記スライド溝に摺動可能に設けられ、前記切替具に環状突起が設けられ、前記切替具が第１位置に位置するときには、前記環状突起が前記本体の前記スライド溝の一端に当接することを特徴とする、請求項２に記載の電力自動遮断機能付き電動睫毛ブラシ。
【請求項５】
前記本体は内ケースを含み、前記弾性具は二つの金属弾性片を含み、前記弾性具が緩め状態にあるときには、前記二つの金属弾性片が互いに接触し、前記切替手段は、切替具と、バネと、を含み、前記切替具は、前記本体に摺動可能に設けられ、第１位置と第２位置の間に移動可能であり、なお、前記切替具を前記第１位置から前記第２位置に移動すると、前記切替具が前記二つの金属弾性片の間に介在し、前記二つの金属弾性片が互いに分離し、前記弾性具が緊迫状態になり、このとき、前記バネが前記切替具と前記内ケースの間に押付け、前記バネの弾力により前記切替具が何時も前記第１位置に戻り可能であることを特徴とする、請求項１に記載の電力自動遮断機能付き電動睫毛ブラシ。
【請求項６】
前記本体の一端には、前記収容空間と連通する軸穴が設けられ、前記ブラシロッドが前記軸穴に貫入され、前記モータが前記ブラシロッドと連接し、前記ブラシロッドが前記モータに駆動されて回転可能であることを特徴とする、請求項１乃至５のうちの何れか一つに記載の電力自動遮断機能付き電動睫毛ブラシ。
【請求項７】
更に、ビンを含み、前記ビンは、液体貯蔵チェンバーと、前記液体貯蔵チェンバーと連通する開口と、を有し、前記ビンに前記本体を被せることができ、前記ビンに前記本体を被せるときには、前記ブラシロッドが前記開口から前記液体貯蔵チェンバーに挿入され、前記切替手段により前記弾性具が緊迫状態に切り替えられることを特徴とする、請求項１乃至５のうちの何れか一つに記載の電力自動遮断機能付き電動睫毛ブラシ。
【手続補正２】
【補正対象書類名】明細書
【補正対象項目名】０００８
【補正方法】変更
【補正の内容】
【０００８】
本考案の電力自動遮断機能付き電動睫毛ブラシによると、前記本体は内ケースを含み、前記弾性具は二つの金属弾性片を含み、前記弾性具が緩め状態にあるときには、前記二つの金属弾性片が互いに接触し、前記切替手段は、切替具と、バネと、を含み、前記切替具は、前記本体に摺動可能に設けられ、第１位置と第２位置の間に移動可能であり、なお、前記切替具を前記第１位置から前記第２位置に移動すると、前記切替具が前記二つの金属弾性片の間に介在し、前記二つの金属弾性片が互いに分離し、前記弾性具が緊迫状態になり、このとき、前記バネが前記切替具と前記内ケースの間に押付け、前記バネの弾力により前記切替具が何時も前記第１位置に戻り可能であることを特徴とする。
【手続補正３】
【補正対象書類名】明細書
【補正対象項目名】００２４
【補正方法】変更
【補正の内容】
【００２４】
１        本体
２        ビン
１１      第１ケース
１２      第２ケース
１３      内ケース
１４      蓋
１５      ブラシロッド
１６      洩止具
２１      開口
２２      液体貯蔵チェンバー
１３１    電源ユニット
１３２    スイッチ
１３３    弾性具
１３３ａ  金属弾性片
１３４    導電端子
１３５    モータ
１３６    非円形軸
１３７    切替ピン
１３８    ピン
１３８´  ピン
１４１    軸穴
１４２    スライド溝
１４３    切替具
１４４    環状突起
１４５    バネ
１５１    第１端
１５２    非円形穴
１５３    第２端
１５４    睫毛ブラシ用毛